(57)【要約】【課題】界面活性剤の影響による、揮散能力の経時的低下の問題と、揮散板等の香料溶液含浸部分に触れた場合の汚染の問題を解決し、かつ意匠性に大きな制限を与えることがない芳香剤充填用容器、およびそれを使用した芳香具を提供する。【解決手段】芳香剤充填用容器１０は、セルロースエステルを溶質とするゲルからなる芳香剤揮散部（ゲルフィルム）１２を有する。また、芳香具１は、芳香剤充填用容器１０に、香料水溶液３０が充填されてなる。【選択図】図２
2009298469.tif 000002
【特許請求の範囲】
【請求項１】
セルロースエステルを溶質とするゲルを芳香剤揮散部として有することを特徴とする、芳香剤充填用容器。
【請求項２】
前記ゲルが、セルロースアセテートブチレートをグリコールエーテル系溶剤及び／又はグリコール系溶剤中で加熱して溶解し、所望の形状に成形した後、冷却して硬化させてなることを特徴とする、請求項１に記載の芳香剤充填用容器。
【請求項３】
前記ゲルがフィルム状又シート状であり、かつ、使用時に底面を構成するように設けられている、請求項１又は２に記載の芳香剤充填用容器。
【請求項４】
香料水溶液が、セルロースエステルを溶質とするゲルを芳香剤揮散部としてを有する芳香剤充填用容器に充填されていることを特徴とする、芳香具。
【請求項５】
前記ゲルが、セルロースアセテートブチレートをグリコールエーテル系溶剤及び／又はグリコール系溶剤中で加熱して溶解させて成形した後、冷却して硬化させてなるフィルム又はシートであることを特徴とする、請求項４に記載の芳香具。
【請求項６】
前記香料水溶液が、香料、水、界面活性剤からなることを特徴とする、請求項４又は５に記載の芳香具。
【請求項７】
前記香料水溶液が、さらに、溶剤、防腐剤、酸化防止剤、および色素からなる群から選択される一種又は二種以上を含む、請求項４〜６にいずれかに記載の芳香具。
【発明の詳細な説明】
【技術分野】
【０００１】
本発明は、新規な芳香剤充填用容器およびそれを使用する芳香具に関する。
【背景技術】
【０００２】
近年、消費者の香りや消臭に対する意識、要求の向上により多種多様の芳香具、消臭具が製造販売されている。なかでも、香料や消臭成分を界面活性剤等で水に溶解した水溶液を芯等で吸い上げ、揮散板より蒸散させるシステムの芳香具が特に多く製造販売されている（特許文献１）。
【０００３】
この水液体型芳香剤を使用した芳香具は、液量が明確にわかることにより、使用実感及びその終点の視覚的なアピールに優れ、原材料や製造コストも比較的安価であること等、優れたタイプの剤型である。しかし、これら水液体型芳香剤は界面活性剤を含み、その界面活性剤の影響により揮散能力が使用とともに徐々に衰えていくという欠点を持っている。
【０００４】
界面活性剤は香料を水に溶解させるために必要不可欠なものである。しかし、一方で界面活性剤の存在は溶液の揮散に影響を与え、界面活性剤の濃度が高ければ高いほど揮散能力が衰え、香料溶液の揮散量が減るという現象の原因になっている。芳香具の使用において、界面活性剤は使用中に揮散することはなく、その他の香料、溶剤、水等のみ揮散していく。よって、溶液中の界面活性剤の濃度は芳香剤減少とともに高くなっていき、その影響にて芳香剤の揮散量がその使用とともに衰えていく。結果として、使用開始初期には十分な強度の香りを提供していたものが、その使用終期にいくにつれ香りが弱くなるという現象が起こる。
【０００５】
いくつかの商品では、この問題を解決するために使用途中で商品を振ることを提案したり、揮散板やそのカバー等に調整機構をつけ、揮散板の露出を調整する等、使用途中における工夫をするものが上市されているが、いずれも使用者の手間を煩わすものであり、根本的にこの問題を解決した商品はまだないのが現状である。
【０００６】
また、水性液体型芳香剤を使用する芳香具のもう一つの問題は、揮散板等の芳香剤溶液含浸体の露出しているところに接触した場合における汚染の問題である。揮散板等の含浸体として、ポリプロピレン（ＰＰ）、ポリエチレンテレフタレート（ＰＥＴ）等の不織布や、紙等多種多様の材料が使用されているが、どの材料もその繊維の隙間や、多孔質構造の空間に香料溶液を含有保持するタイプである。このタイプの欠点は、使用者等が誤って揮散板等の含浸体の露出部分に触れた場合や、その他のものが触れてしまった場合、その溶液がついてしまうことである。溶液がついた場合、におい、色等によりそのものが汚染され、それを落とすために洗浄等が必要になる。
【０００７】
これを防ぐために多くの商品が特別にスリット等の入ったカバーをつけている。このカバーの多くがその商品の使用開始時に取り外す必要があるため、脱着ができ更に意匠性等の考慮も必要なため構造が複雑化する傾向があり、コスト等がかかる要因の一つになっている。さらに、水液体型芳香剤に不可欠であるこのような含浸部分、またそれらに対する接触を防ぐためのカバー等の存在により構造が複雑化し、意匠性等に多くの制限があり、なかなか水液体型のすぐれた性能と意匠性を両立させることが困難なのが現状である。
【特許文献１】特開２００１−２６１０８０号公報
【発明の開示】
【発明が解決しようとする課題】
【０００８】
そこで、本発明が解決しようとする課題は、水液体型芳香剤に含まれる界面活性剤の影響による揮散能力の使用時における経時低下の問題と、揮散板等の香料溶液含浸部分に触れた場合の汚染の問題を解決し、かつ意匠性に大きな制限を与えることがない芳香剤充填用容器を提供することである。
【課題を解決するための手段】
【０００９】
本発明者が鋭意研究を重ねた結果、セルロースエステルを溶質とするゲルを芳香剤の揮散部として使用することにより、上で説明した問題点をすべて解決できることを見いだし本発明を完成した。すなわち本発明は、以下の（１）〜（７）に関する。
【００１０】
（１）セルロースエステルを溶質とするゲルを芳香剤揮散部として備えたことを特徴とする、芳香剤充填用容器。
【００１１】
（２）前記ゲルが、セルロースアセテートブチレートをグリコールエーテル系溶剤及び／又はグリコール系溶剤中で加熱して溶解し、所望の形状に成形した後、冷却して硬化させてなることを特徴とする、（１）に記載の芳香剤充填用容器。
【００１２】
（３）前記ゲルがフィルム状又シート状であり、かつ、使用時に底面を構成するように設けられている、（１）又は（２）記載の芳香剤充填用容器。
【００１３】
（４）香料水溶液が、セルロースエステルを溶質とするゲルを芳香剤揮散部として備えた芳香剤充填用容器に充填されていることを特徴とする、芳香具。
【００１４】
（５）前記ゲルが、セルロースアセテートブチレートをグリコールエーテル系溶剤及び／又はグリコール系溶剤中で加熱して溶解させて成形した後、冷却して硬化させてなるフィルム又はシートであることを特徴とする、（４）に記載の芳香具。
【００１５】
（６）前記香料水溶液が、香料、水、界面活性剤からなることを特徴とする、（４）又は（５）に記載の芳香具。
【００１６】
（７）前記香料水溶液が、さらに、溶剤、防腐剤、酸化防止剤、および色素からなる群から選択される一種又は二種以上を含む、（４）〜（６）いずれかに記載の芳香具。
【００１７】
なお、本出願に係る各発明は、「芳香」を「消臭」と適宜読み替えて特定される発明をも包含するものとする。
【発明の効果】
【００１８】
本発明による芳香剤充填用容器は、セルロースエステルを溶質とするゲルを芳香剤揮散部として有することにより、香料水溶液が、セルロースエステルを溶質とするゲルフィルムを介して揮散され、水系芳香剤に含まれる界面活性剤の影響を受けることなく、使用初期から後期まで安定した蒸散・揮散を可能とする。さらに、揮散面への接触時における色素による汚染を防止することも可能である。
【発明を実施するための最良の形態】
【００１９】
以下、本発明を実施するための最良の形態に基づいて説明する。
【００２０】
芳香剤充填用容器
本発明の芳香剤充填用容器は、セルロースエステルを溶質とするゲルを芳香剤揮散部として備えたことを特徴とする。
【００２１】
本発明に使用されるゲルは、セルロースエステルを溶質とするゲルであれば特に制限はないが、セルロースアセテートブチレートとグリコールエーテル系溶剤及び／又はグリコール系溶剤にて作製されるものが好適である。
【００２２】
セルロースアセテートブチレートは、セルロース誘導体の一種であり、適当な有機酸無水物を触媒下でセルロース中にある水酸基にエステル化反応を行うことにより製造される。分子中のブチリル、アセチル、水酸基の比率及び、分子量がそれぞれ異なる種々のセルロースアセテートブチレートが上市されている。それらの違いにより物性がそれぞれ異なるが、本発明においては、作製したゲルが、芳香具の通常の使用温度範囲である０〜４０℃程度において流動性を持たない固体の状態を示すものであれば、特にブチリル、アセチル、水酸基の比率及び分子量の限定はない。また、セルロースアセテートブチレートは、１種又は２種以上を用いてもよい。
【００２３】
グリコールエーテル系溶剤としては、同様に、作製したゲルが０〜４０℃程度の温度範囲において流動性を持たない固体の状態を示すものであれば特に制限されず、例えばエチレングリコールモノメチルエーテル、エチレングリコールモノエチルエーテル、エチレングリコールエチルエーテルアセテート、エチレングリコールモノブチルエーテル、ジエチレングリコールモノメチルエーテル、プロピレングリコールモノメチルエーテル、プロピレングリコールモノプロピルエーテル、プロピレングリコールモノブチルエーテル、プロリレングリコールメチルエーテルアセテート、プロピレングリコールジアセテート、ジプロピレングリコールモノメチルエーテル、ジプロピレングリコールモノプロピルエーテル、ジプロピレングリコールモノブチルエーテル、ジプロピレングリコールジメチルエーテル、トリプロピレングリコールモノメチルエーテル、トリプロピレングリコールモノブチルエーテル等でありこれらの１つまたは複数を組み合わせて用いることが可能である。
【００２４】
グリコール系溶剤としては、同様に、作製したゲルが０℃から４０℃において流動性を持たない個体の状態を示すものであれば特に限定はなく、例えばエチレングリコール、プロピレングリコール、ブチレングリコール、ヘキシレングリコール、ジプロピレングリコール等が挙げられる。これらの１つ又は複数を組み合わせて用いることが可能である。
【００２５】
上記のようなゲルの調製方法は、特に限定されることはないが、加熱工程によることが好ましい。つまり、セルロースアセテートブチレートとグリコールエーテル系溶剤及び／又はグリコール系溶剤、その他添加剤を秤取り攪拌しながら加熱する。セルロースアセテートブチレートが完全に溶解させたら型容器に流し込むか、又はシート状に溶解溶液を広げた後冷却して硬化させてゲルをフィルム状又はシート状に作製することが好ましい。具体的には溶解液を適当な形状に成形するためには、溶解液を適当な形状の型の上に展開して冷却固化させることで可能である。平面ガラスの上に展開することで所望の形状で、かつ所望の厚さを有するゲルフィルムを得ることが可能である。
【００２６】
さらに、ゲルフィルムの作製の際には、作業効率を上げる目的等で助溶剤を加えてもよい。助溶剤は、その他の添加剤の溶解、セルロースアセテートブチレート溶解時の粘度の調整等を目的として加えられるもので特に限定はないが、アルコール類、エステル類、ケトン類、パラフィン類、芳香族類等が必要に応じて使用できる。
【００２７】
本発明において、上記の様に製造されたゲルフィルムの厚さは、０．５ｍｍ〜１ｃｍの範囲であることが好ましい。この範囲より厚いと香料水溶液のゲルフィルムへの浸透に長時間を要し過ぎることとなる。また、この厚さより薄い場合は、強度が十分でない恐れがある。
【００２８】
芳香具
本発明の芳香具は、香料水溶液が、セルロースエステルを溶質とするゲルを芳香剤揮散部として芳香剤充填用容器に充填されていることを特徴とする。
【００２９】
ここで、本発明において、「香料」とは、芳香効果及び／又は消臭効果を奏する成分を意味する。
【００３０】
香料としては、特に制限されるものではなく、従来公知の芳香成分、消臭成分、又はそれらの混合物で良い。例えば、テルペン類、テルペン系アルコール、脂肪族アルコール、芳香族アルコール等のアルコール類、テルペン系アルデヒド、脂肪族アルデヒド、芳香族アルデヒドのアルデヒド類、テルペン系ケトン、脂環式ケトン、大環状ケトン等のケトン類、フェノール誘導体、芳香族炭化水素、アセタール類、カルボン酸類、脂肪族エステル、芳香族エステル等のエステル類等を、単独で又は任意に調合したものが挙げられる。
【００３１】
前記香料の水溶液濃度についても特に制限はなく、本発明に係る芳香具の使用の目的に応じて適宜選択することが可能である。０．０１〜３０．０％の濃度範囲で使用可能である。
【００３２】
香料水溶液は、上で説明した芳香、消臭成分を所望の濃度に水に溶解して使用するが、場合により通常公知の界面活性剤を使用してもよい。芳香、消臭成分が十分な濃度で水に溶解しない場合や、香料水溶液の安定性（保存期間、使用期間）を改良するために用いる場合である。本発明においては上の目的を奏する界面活性剤であれば特に種類、量等に限定はない。具体的には、ポリオキシエチレンアルキルエーテル、ソルビタン酸エステル、ポリオキシエチレンソルビタン脂肪酸エステル、ポリオキシエチレン脂肪酸エステル、ポリオキシエチレンヒマシ油、ポリオキシエチレン硬化ヒマシ油等のノニオン性界面活性剤、アルキル硫酸エステル塩、ポリオキシエチレンアルキルエーテル硫酸エステル塩、アルキルベンゼンスルフォン酸塩等の陰イオン性界面活性剤等が挙げられる。
【００３３】
前記界面活性剤の濃度についても特に制限はなく、芳香具の使用の目的に応じて適宜選択することが可能である。通常、０．０１〜３０．０％の濃度範囲で使用可能である。
【００３４】
さらに香料水溶液には、必要に応じて通常公知の添加剤を含むことができる。これらの添加剤の種類及び濃度の選択についても特に制限はなく、本発明に係る芳香具の使用の目的に応じて適宜選択することが可能である。具体的には、溶解性を高める為又は製造効率を上げる等の為に溶剤、商品の保存安定性を向上させる等の為に防腐剤や酸化防止剤、さらに、装飾性等の為に色素、顔料、医薬品を使用することができる。
【００３５】
以下、さらに本発明に係る芳香具の好適な実施態様を、図面を用いて詳細に説明する。
【００３６】
図１は、本発明に係る芳香具１の斜視図である。図２は、芳香具１の断面図である。図３は、芳香剤充填用容器１０（芳香剤充填時）の斜視図、図４は、台部材２０の斜視図を示す。
【００３７】
芳香具１は、芳香剤充填用容器１０、台部材２０、および芳香剤（香料水溶液）３０からなる。
【００３８】
芳香剤充填用容器１０は、有底筒体状の収容容器１１と、セルロースアセテートブチレートを溶質とするゲルフィルム１２と、保護フィルム１３と、からなる。
【００３９】
収容容器１１は内部に芳香剤（香料水溶液）３０を収容（充填）している。収容容器１１の材料としては、香料水溶液を外部に漏らさない作用を有する材質であれば特に制限はなく、プラスチック、金属、ガラス、金属ラミネートプラスチック製フィルムなど、通常公知の材料を使用することが出来る。収容容器１１の開口部１１ａは、ゲルフィルム１２によって閉鎖されている。ゲルフィルム１２は、収容容器１１の開口部１１ａの寸法よりもやや大きな寸法に選定されており、開口部１１ａを覆った状態で、折りしろ１２ａが全周に亘って設けられるようになっている。閉鎖の方法には特に制限はない。収容容器１１の開口部１１ａの端縁とゲルフィルムを接着剤で接着する方法、機械的外力によって折りしろ１２ａを収容容器１１の外壁に全周に亘って圧接させることによって閉鎖させる方法のいずれも可能である。機械的外力による方法としては、例えば、締着バンドや接着テープを使用することが出来る。また、収容容器１１に、圧力調整目的でごく小さな穴をさらに有することも可能である。さらに香料水溶液を再充填可能な充填口を設けてもよい。
【００４０】
保護フィルム１３は、芳香剤がゲルフィルム１２を介して揮散するのを防止すべく、ゲルフィルム全体を密着して被覆しており、芳香具１の使用時には取り外される。
【００４１】
台部材２０は、芳香剤充填用容器１０を載置する載置部２１と、脚部２２と、を有する（図４参照）。
【００４２】
載置部２１は、収容容器１０の開口部１１ａの寸法よりもやや大きい寸法に選定された枠部２１ａと、枠部２１ａの枠内に設けられたスリット状の格子２１ｂと、からなる。なお、本例では枠内にスリット状の格子２１ｂを設けたが、本発明の芳香剤充填用容器１０を使用した場合、揮散面であるゲルフィルム１２を直接使用者が触れたとしても香料水溶液が付着することはないので、必ずしも格子２１ｂは必要不可欠ではなく、開口部１１ａの端縁部を支持する構成にしても良い。
【００４３】
また、脚部２２は、載置部２１の周方向複数位置に設けられた脚（２２ａ、２２ｂ、２２ｃ）からなる。
【００４４】
台部材２０の形状は、図４のものに限られず、例えば、枠部２１ａの下に網台２３ａを設けるようにしても良い。また、その際、枠部２１ａの形状に制限はなく、図６（ａ）のような円環状、図６（ｂ）又は（ｃ）に示されるような格子状のいずれでも良い。
【００４５】
芳香具１の使用を開始する際には、まず、芳香剤充填用容器１０の保護フィルム１３を剥離してゲルフィルム１２を露出させる。そして、図３の状態から上下反転させて台部材２０の載置部２１に載置する。この際、ゲルフィルム１２が芳香剤充填用容器１０の底面を構成するので、ゲルフィルム１２と芳香剤（香料水溶液）３０との接触面積が常時一定であるので、使用初期から終期にかけての安定した揮散量を確保することが出来る。
【００４６】
芳香剤充填用容器１０に充填された芳香剤（香料水溶液）３０は、底面のゲルフィルム１２を介して台部材２０によって構成される揮散空間２を経て、室内等に揮散される。
【００４７】
なお、上記の実施形態では、芳香具１を床等の平面に設置する構成としたが、壁面等に釣止されるように構成しても良い。また、その際、充填用容器１０の底面をゲルフィルム（揮散面）としても良いが、側面等をゲルフィルム（揮散面）とすることも可能である。
【実施例】
【００４８】
以下本発明を、実施例に基づいてさらに具体的に説明をする。但し本発明はこれらの実施例に限定されるものではない。
【００４９】
（実施例１）：芳香具の作製１
（１）ゲルフィルムの作製
セルロースアセテートブチレートとしてＣＡＢ  ３８１−２０（イーストマンケミカル社製）２０．０ｇと、トリプロピレングリコールモノメチルエーテルとしてＤｏｗａｎｏｌ  ＴＰＭ（ダウケミカル社製）７９．０ｇと、酸化防止剤としてジブチルヒドロキシトルエン（ＢＨＴ）１．０ｇと、をガラスフラスコ内で混合して混合物とした。この混合物を攪拌しながら約１２０度にて３０分間加熱してＣＡＢ  ３８１−２０を溶解させ、均一の溶解液を得た。
【００５０】
次にこの溶解液の３ｇを、ガラス平板上に直径約８ｃｍ円形シート状に広げた。このシートを室温まで冷却して硬化させて透明なゲルフィルムを作成した。
【００５１】
（２）香料水溶液の調製
シトラス香料（製品番号ＬＥＭＯＮ  ＬＩＱＵＩＤＥ  ＣＮ  １５１８５２  Ｄ、フィルメニッヒ社製）１．５０ｇ、ポリオキシエチレントリデシルエーテルとしてＦｉｎｅｓｕｒｆ  ＴＤ−１２０（青木油脂工業社製）１．２５ｇ、ポリオキシエチレン硬化ヒマシ油（界面活性剤）としてＢｌａｕｎｏｎ  ＲＣＷ−４０（青木油脂工業社製）１．２５ｇ、３−メトキシ−３−メチルー１−ブタノールとしてソルフィット（クラレ社製）３．０％を混合し攪拌した。さらに精製水９３．００ｇを加えて攪拌して香料水溶液を調製した。これを水性液体型芳香剤とする。
【００５２】
（３）芳香剤充填用容器への充填
上で調製した水性液体型芳香剤を充填するために、図１に概略される容器１１をポリプロピレンおよびポリエチレンを用いて作製した。
【００５３】
容器１１に、（２）で調製した香料水溶液を、約８０％の体積を占めるように充填した。続いて、開口部１１ａの形状に合わせて切断したゲルフィルムで開口部１１ａを閉鎖した。芳香剤を充填した芳香剤充填用容器をゲルフィルムが底面を構成するように台部材２０の上に載置した。
【００５４】
（実施例２）：芳香具の作製２
（１）ゲルフィルムの作成
セルロースアセテートブチレートとしてＣＡＢ  ３８１−２０（イーストマンケミカル社製）１５．０ｇと、ＣＡＢ  ５５１−０．１（イーストマンケミカル社製）５．０  ｇとを、ジプロピレングリコールモノメチルエーテルとしてＤｏｗａｎｏｌ  ＤＰＭ（ダウケミカル社製）４９．０ｇ、ヘキシレングリコール３０．０ｇ、とＢＨＴ  １．０  ｇをガラスフラスコに混合して混合物とした。この混合物を攪拌しながら約１２０度にて３０分間加熱してＣＡＢ  ３８１−２０とＣＡＢ  ５５１−０．１を溶解させ、均一の溶解液を得た。
【００５５】
次にこの溶解液３ｇを、ガラス平板上に円型シート状に広げ、室温まで冷却して硬化させて透明なゲルフィルムを作成した。
【００５６】
（２）香料水溶液の調製
ラベンダー香料（製品ＡＥＲＯ  ＬＡＶＥＮＤＥＲ  １８３６０６、フィルメニッヒ社製）１．５０ｇ、ポリオキシエチレンイソステアリルエーテルとしてＦｉｎｅｓｕｒｆ  ＦＯ−１６０（青木油脂工業社製）１．２５ｇ、界面活性剤ポリオキシエチレン硬化ヒマシ油としてＮｉｋｋｏｌ  ＨＣＯ−４０（日光ケミカルズ社製）１．２５ｇ、溶剤、３−メトキシ−３−メチルー１−ブタノールとしてソルフィット（クラレ社製）３．０％を混合し攪拌した。さらに純水９３．００ｇを加えて攪拌して香料水溶液を調製した。
【００５７】
（３）芳香剤充填用容器への充填
実施例１と同様の芳香剤充填用容器に、実施例１と同様に充填した。
【００５８】
（実施例３）：芳香具の作製３
（１）ゲルフィルムの作成
セルロースアセテートブチレートとしてＣＡＢ  ３８１−２０（イーストマンケミカル社製）２５．０ｇと、ジプロピレングリコールモノメチルエーテルとしてＤｏｗａｎｏｌ  ＤＰＭ（ダウケミカル社製）２５．０ｇ、ジイソプレングリコール４９．０ｇ、とＢＨＴ  １．０ｇをガラスフラスコに混合して混合物とした。この混合物を攪拌しながら約１２０度にて３０分間加熱してＣＡＢ  ３８１−２０を溶解させ、均一の溶解液を得た。
【００５９】
次にこの溶解液３ｇを、ガラス平板上に円型シート状に広げ、室温まで冷却して硬化させて透明なゲルフィルムを作成した。
【００６０】
（２）香料水溶液の調製
シトラス香料（製品ＳＱＵＡＳＨ  ＬＩＭＥ  １８３５８１、フィルメニッヒ社製）１．５０ｇ、ポリオキシエチレントリデシルエーテルとしてＦｉｎｅｓｕｒｆ  ＴＤ−１２０（青木油脂工業社製）１．２５ｇ、界面活性剤ポリオキシエチレン硬化ヒマシ油としてＢｌａｕｎｏｎ  ＲＣＷ−４０（青木油脂工業社製）１．２５ｇ、溶剤、３−メトキシ−３−メチルー１−ブタノールとしてソルフィット（クラレ社製）３．０  ％を混合し攪拌した。さらに純水９３．００ｇを加えて攪拌して香料水溶液を調製した。
【００６１】
（３）芳香剤充填用容器への充填
実施例１と同様の芳香剤充填用容器に、実施例１と同様に充填した。
【００６２】
（実施例４）：芳香具の作製４
（１）ゲルフィルムの作成
セルロースアセテートブチレートとしてＣＡＢ  ３８１−２０（イーストマンケミカル社製）２０．０ｇと、ジプロピレングリコールモノメチルエーテルとしてＤｏｗａｎｏｌ  ＤＰＭ（ダウケミカル社製）４９．０ｇ、ヘキシレングリコール３０．０ｇ、とＢＨＴ  １．０ｇをガラスフラスコに混合して混合物とした。この混合物を攪拌しながら約１２０度にて３０分間加熱してＣＡＢ  ３８１−２０を溶解させ、均一の溶解液を得た。この溶液にさらに着色剤Ｏｉｌ  ｐｉｎｋ  ３１２（オリエント化学工業社製）０．０４ｇを加え着色した。
【００６３】
次にこの溶解液３ｇを、ガラス平板上に円型シート状に広げ、室温まで冷却して硬化させて透明なゲルフィルムを作成した。
【００６４】
（２）香料水溶液の調製
シトラス香料（製品ＬＥＭＯＮ  ＬＩＱＵＩＤＥ  ＣＮ  １５１８５２  Ｄ、フィルメニッヒ社製）１．５０ｇ、ポリオキシエチレントリデシルエーテルとしてＦｉｎｅｓｕｒｆ  ＴＤ−１２０（青木油脂工業社製）１．２５ｇ、界面活性剤ポリオキシエチレン硬化ヒマシ油としてＢｌａｕｎｏｎ  ＲＣＷ−４０（青木油脂工業社製）１．２５  ｇ、溶剤、３−メトキシ−３−メチルー１−ブタノールとしてソルフィット（クラレ社製）３．０  ％を混合し攪拌した。さらに純水９３．００ｇを加えて攪拌した後、青色１号を０．０００５ｇを加え着色をして香料水溶液を調製した。
【００６５】
（３）芳香剤充填用容器への充填
実施例１と同様の芳香剤充填用容器に、実施例１と同様に充填した。
【００６６】
（実施例５）：芳香具の作製５
（１）ゲルフィルムの作成
セルロースアセテートブチレートとしてＣＡＢ  ３８１−２０（イーストマンケミカル社製）２０．０ｇと、ジプロピレングリコールモノメチルエーテルとしてＤｏｗａｎｏｌ  ＤＰＭ（ダウケミカル社製）４９．０ｇ、ヘキシレングリコール３０．０ｇ、とＢＨＴ  １．０ｇをガラスフラスコに混合して混合物とした。この混合物を攪拌しながら約１２０度にて３０分間加熱してＣＡＢ  ３８１−２０を溶解させ、均一の溶解液を得た。
【００６７】
次にこの溶解液３ｇを、ガラス平板上に円型シート状に広げ、室温まで冷却して硬化させて透明なゲルフィルムを作成した。
【００６８】
（２）香料水溶液の調製
シトラス香料（製品ＬＥＭＯＮ  ＬＩＱＵＩＤＥ  ＣＮ  １５１８５２  Ｄ、フィルメニッヒ社製）３．００ｇ、ポリオキシエチレンイソステアリルエーテルとしてＦｉｎｅｓｕｒｆ  ＦＯ−１６０（青木油脂工業社製）２．５０ｇ、界面活性剤ポリオキシエチレン硬化ヒマシ油としてＮｉｋｋｏｌ  ＨＣＯ−４０（日光ケミカルズ社製）２．５０  ｇ、溶剤、３−メトキシ−３−メチルー１−ブタノールとしてソルフィット（クラレ社製）３．０  ％を混合し攪拌した。さらに純水８９．００ｇを加えて攪拌して香料水溶液を調製した。
【００６９】
（３）芳香剤充填用容器への充填
実施例１と同様の芳香剤充填用容器に、実施例１と同様に充填した。
【００７０】
（比較例１）：引上式吸液型芳香具の作製１
（１）香料水溶液の調製
シトラス香料（製品ＬＥＭＯＮ  ＬＩＱＵＩＤＥ  ＣＮ  １５１８５２  Ｄ、フィルメニッヒ社製）１．５０ｇ、Ｆｉｎｅｓｕｒｆ  ＴＤ−１２０（青木油脂工業社製）１．２５ｇ、Ｂｌａｕｎｏｎ  ＲＣＷ−４０（青木油脂工業社製）１．２５ｇ、ソルフィット（クラレ社製）３．０％をガラス容器にいれよく攪拌した。純水９３．００ｇを加えよく攪拌して香料水溶液を調製した。次にこの溶液に青色１号を０．０００５ｇを加え着色をして着色香料水溶液を調製した。
【００７１】
（２）芳香剤充填用容器への充填
引き上げ式吸液用のろ紙を持った芳香剤充填用容器に、香料水溶液を充填した。
【００７２】
（比較例２）：引上式吸液型芳香具の作製２
（１）香料水溶液の調製
シトラス香料（製品ＬＥＭＯＮ  ＬＩＱＵＩＤＥ  ＣＮ  １５１８５２  Ｄ、フィルメニッヒ社製）３．００ｇ、Ｆｉｎｅｓｕｒｆ  ＦＯ−１６０（青木油脂工業社製）２．５０ｇ、Ｎｉｋｋｏｌ  ＨＣＯ−４０（日光ケミカルズ社製）２．５０ｇ、ソルフィット（クラレ社製）３．０％をガラス容器にいれよく攪拌した。これに純水８９．００  ｇを加えて攪拌し香料水溶液を調製した。
（２）芳香剤充填用容器への充填
引き上げ式吸液用のろ紙を持った芳香剤充填用容器に、香料水溶液を充填した。
【００７３】
表１に各実施例及び比較例で使用したゲルフィルム及び香料水溶液の組成をまとめた。
【００７４】
【表１】
2009298469.tif 000003
【００７５】
（評価１）：蒸散量変化の測定
各実施例及び各比較例で作製した芳香具による蒸散量測定を、室温にて行った。なお、各実施例においては、芳香剤を充填した芳香剤充填用容器を台部材の上に載置した状態で放置し、芳香剤を蒸散させた。
【００７６】
蒸散量は、初期、中期、後期のそれぞれについて行い、各期の蒸散量を、初期の蒸散量で除することにより、蒸散量変化を求めた。ここで、初期とは内容量が１０％程度、中期とは内容量が５０％程度、後期とは内容量が８０％程度減少した時点とした。
【００７７】
結果を表２にまとめた。
【００７８】
【表２】
2009298469.tif 000004
【００７９】
重量減少の結果（表２）より、本発明による芳香剤充填用容器を使用した場合、重量減少が使用初期から後期までほぼ一定になっていることが分かる。また、香料水溶液に使用した界面活性剤の量は重量減少に大きな影響がないことが分かる。さらに、従来技術である引上式ろ紙を持つ芳香剤充填用容器である比較例の重量減少は、後期になればなるほど小さくなることが分かる。特に界面活性剤を高濃度にした比較例２はその傾向が顕著であることが分かる。
【００８０】
（評価２）：揮散面の状態確認
実施例１〜５、比較例１、２の香料水溶液の、初期、中期、後期における揮散面（ゲルフィルム又は濾紙）の状態を目視及び指触にて確認した。結果を表３にまとめた。
【００８１】
【表３】
2009298469.tif 000005
【００８２】
本発明による実施例の器具を用いた場合、特に濡れや色素による汚染は認められなかった。すなわち、使用初期、中期、後期にかけて、ゲルフィルムは、常に透明な状態を保った。一方従来技術である引上式ろ紙を持つ芳香剤充填用容器による比較例では、濡れや色素による明らかな汚染が確認された。
【図面の簡単な説明】
【００８３】
【図１】図１は、本発明に係る芳香具の斜視図である。
【図２】図２は、本発明に係る芳香具の要部断面図である。
【図３】図３は、本発明に係る芳香剤充填用容器の斜視図である。
【図４】図４は、本発明に係る芳香具に使用される台部材の一形態例を示す斜視図である。
【図５】図５は、本発明に係る芳香具に使用される台部材の別の形態例を示す斜視図である。
【図６】図６は、枠部の形態例を示す図である。
【符号の説明】
【００８４】
１      芳香具
２      揮散空間
１０    芳香剤充填用容器
１１    収容容器
１１ａ  開口部
１２    ゲルフィルム
２０    台部材
２１    載置部
２１ａ  枠部
２１ｂ  格子
２２    脚部
２２ａ、２２ｂ、２２ｃ    脚
２３ａ  網台
３０    香料水溶液（芳香剤）
【図１】
2009298469.tif 000006
【図２】
2009298469.tif 000007
【図３】
2009298469.tif 000008
【図４】
2009298469.tif 000009
【図５】
2009298469.tif 000010
【図６】
2009298469.tif 000011